(57)【特許請求の範囲】
【請求項１】
タッチスクリーンを具備する電子装置で表示領域のサイズを調節するための方法であって、
前記表示領域に含まれる少なくとも１つの感知領域に対するタッチを感知した時、前記感知領域に対するタッチ情報に基づいてサイズ変更イベントが発生したか否かを確認する工程と、
前記サイズ変更イベントが発生した場合、前記表示領域に対する追加タッチが感知されたか否か確認する工程と、
前記追加タッチが感知された場合、追加タッチ地点に基づいて複数の領域のサイズ調節量及び変更方向を確認する工程と、
前記複数の領域のサイズ調節量及び変更方向に対応して複数の変更方向の表示領域のサイズを調節する工程と、を有し、
前記表示領域は、前記タッチスクリーンで情報を表示する領域を含むことを特徴とするタッチスクリーンを具備する電子装置で画面サイズを調節するための方法。
【請求項２】
前記サイズ変更イベントが発生した場合、サイズ変更イベントの発生情報を表示する工程をさらに有することを特徴とする請求項１に記載のタッチスクリーンを具備する電子装置で画面サイズを調節するための方法。
【請求項３】
前記感知領域は、前記表示領域の周縁部に位置する１ピクセル領域を含むことを特徴とする請求項１に記載のタッチスクリーンを具備する電子装置で画面サイズを調節するための方法。
【請求項４】
前記複数の変更方向の表示領域のサイズを調節する工程は、前記複数の領域のサイズ調節量に対応して前記表示領域の全体サイズを所定の比率に調節する工程を含むことを特徴とする請求項１に記載のタッチスクリーンを具備する電子装置で画面サイズを調節するための方法。
【請求項５】
電子装置において、
タッチスクリーンと、
前記表示領域に含まれる少なくとも１つの感知領域に対するタッチを感知した時、前記感知領域に対するタッチ情報に基づいてサイズ変更イベントが発生したか否かを確認し、前記サイズ変更イベントが発生した後に追加タッチが感知された場合、追加タッチ地点に基づく複数の領域のサイズ調節量及び変更方向に対応して複数の変更方向の表示領域のサイズを調節する制御部と、を有し、
前記表示領域は、前記タッチスクリーンで情報を表示する領域を含むことを特徴とするタッチスクリーンを具備する電子装置で画面サイズを調節するための装置。
【請求項６】
前記タッチスクリーンは、前記サイズ変更イベントが発生した場合、サイズ変更イベントの発生情報を表示することを特徴とする請求項５に記載のタッチスクリーンを具備する電子装置で画面サイズを調節するための装置。
【請求項７】
前記感知領域は、前記表示領域の周縁部に位置する１ピクセル領域を含むことを特徴とする請求項５に記載のタッチスクリーンを具備する電子装置で画面サイズを調節するための装置。
【請求項８】
前記制御部は、前記複数の領域のサイズ調節量に対応して前記表示領域の全体サイズを所定の比率に調節することを特徴とする請求項５に記載のタッチスクリーンを具備する電子装置で画面サイズを調節するための装置。
【発明の詳細な説明】
【技術分野】
【０００１】
電子装置のユーザインタフェースに関し、特に、タッチスクリーンを具備する電子装置の画面サイズを調節するための方法及びその装置に関する。
【背景技術】
【０００２】
携帯の容易性のため現代人の必需品になった電子装置である携帯端末は、音声及びビデオ通話機能、情報の入出力機能及びデータの保存といった様々なサービスを提供するマルチメディア機器に発展している。
上述のように、携帯端末でマルチメディアサービスの提供によって処理する情報量及び表示すべき情報量が増加するに伴い、空間活用度を改善して表示部のサイズを増加させることができるタッチスクリーンを具備した携帯端末に対する関心が増加しつつある。
【０００３】
タッチスクリーンは情報の入力と表示を１つのスクリーンで行う入出力装置である。
そのため、タッチスクリーンを使う場合、携帯端末はキーパッドのような別途の入力装置を除去して表示面積を増加させることができる。例えば、画面全体にタッチスクリーンが適用される全面タッチスクリーン方式を使う場合、携帯端末の全面を画面として活用して画面サイズを拡大することができる。
上述のように、携帯端末はタッチスクリーンを用いたより大きな画面により様々なマルチメディアサービスを提供することができる。
【０００４】
しかしながら、タッチスクリーンを具備する携帯端末はキーパッドのような別途の入力装置を具備する携帯端末とは操作方式が異なるため、タッチスクリーンに対する別途のユーザインタフェースを必要とする。
【先行技術文献】
【特許文献】
【０００５】
【特許文献１】韓国特許出願公開第１０−２００９−０１０２７２７号明細書
【発明の概要】
【発明が解決しようとする課題】
【０００６】
そこで、本発明は上記従来のタッチスクリーンにおける問題点に鑑みてなされたものであって、本発明の目的は、タッチスクリーンを具備する電子装置で画面サイズを調節するための装置及びその方法を提供することにある。
本発明の他の目的は、タッチスクリーンを具備する電子装置で情報が表示される表示領域のサイズを調節するための装置及びその方法を提供することにある。
本発明のさらに他の目的は、タッチスクリーンを具備する携帯端末で特定方向の表示領域のサイズを調節するための装置及びその方法を提供することにある。
本発明のさらに他の目的は、タッチスクリーンを具備する携帯端末でマルチタッチを用いて表示領域のサイズを調節するための装置及びその方法を提供することにある。
【課題を解決するための手段】
【０００７】
上記目的を達成するためになされた本発明によるタッチスクリーンを具備する電子装置で画面サイズを調節するための方法は、タッチスクリーンを具備する電子装置で表示領域のサイズを調節するための方法において、タッチ情報に基づいてサイズ調節量を確認する工程と、前記サイズ調節量に対応して前記表示領域のサイズを調節する工程とを有し、前記表示領域は、前記タッチスクリーンで情報を表示する領域を含むことを特徴とする。
【０００８】
上記目的を達成するためになされた本発明によるタッチスクリーンを具備する電子装置で画面サイズを調節するための装置は、電子装置において、タッチスクリーンと、タッチ情報に基づいて決定したサイズ調節量に対応して表示領域のサイズを調節する制御部とを有し、前記表示領域は、前記タッチスクリーンで情報を表示する領域を含むことを特徴とする。
【発明の効果】
【０００９】
本発明に係るタッチスクリーンを具備する電子装置で画面サイズを調節するための方法及びその装置によれば、タッチスクリーンを具備する携帯端末で情報が表示される領域のサイズを調節することによって、携帯端末のユーザの意図に合わせて表示のサイズを容易に調節できるという効果がある。
また、広い表示領域が不要な場合、携帯端末でユーザの操作によって表示領域のサイズを縮めることによって、携帯端末の電力消費を低減できるという効果がある。
【図面の簡単な説明】
【００１０】
【図１】本発明による携帯端末のブロック構成を示す図である。
【図２】本発明の実施形態による携帯端末で画面サイズを調節する手順を説明するためのフローチャートである。
【図３】本発明の実施形態による携帯端末で所定方向の画面サイズを調節する手順を説明するためのフローチャートである。
【図４】本発明の実施形態による携帯端末でマルチタッチを用いて画面サイズを調節する手順を説明するためのフローチャートである。
【図５】本発明の実施形態による携帯端末でマルチタッチを用いて所定の方向に画面サイズを調節する手順を説明するためのフローチャートである。
【図６】本発明の実施形態による携帯端末で画面サイズを調節するための画面構成を示す図である。
【図７】本発明の実施形態による携帯端末で画面サイズを調節するための画面構成を示す図である。
【図８】本発明の実施形態による携帯端末で画面サイズを調節するための画面構成を示す図である。
【図９】本発明の実施形態による携帯端末で画面サイズを調節するための画面構成を示す図である。
【図１０】本発明の実施形態による携帯端末で画面サイズを調節するための画面構成を示す図である。
【図１１】本発明の実施形態による携帯端末で画面サイズを調節するための画面構成を示す図である。
【図１２】本発明の実施形態による携帯端末で画面サイズを調節するための画面構成を示す図である。
【図１３】本発明の実施形態による携帯端末で画面サイズを調節するための画面構成を示す図である。
【発明を実施するための形態】
【００１１】
次に、本発明に係るタッチスクリーンを具備する電子装置で画面サイズを調節するための方法及びその装置を実施するための形態の具体例を図面を参照しながら説明する。
【００１２】
本発明を説明するに当たって、関連する公知機能または構成に対する具体的な説明が本発明の要旨を不要に不明確にする恐れがあると判断される場合、その詳細な説明を省略する。そして、後述する用語は、本発明においての機能を考慮して定義された用語であってこれはユーザ、運用者の意図または慣例などに応じて異なることがある。したがって、その定義は本明細書全般にわたる内容に基づいて行われるべきである。
【００１３】
以下、本発明の携帯端末で表示領域のサイズを調節するための技術について説明する。
以下の説明で、携帯端末はタッチスクリーンを具備するＰＤＡ、ラップトップ、スマートフォン、ネットブック、  モバイルインターネットデバイス（ＭＩＤ）、ウルトラモバイルＰＣ（ＵＭＰＣ）、タブレットＰＣ、ナビゲーション、ＭＰ３プレーヤーなどを含む電子装置のことを指す。
【００１４】
図１は、本発明による携帯端末の構成を示すブロック図である。
図１に示すように、携帯端末は、制御部１００、表示部１０２、保存部１０４、入力部１０６及びオーディオ処理部１０８を含んで構成される。
【００１５】
制御部１００は、携帯端末の全体的な動作制御を行う。
制御部１００は、サイズ変更イベントが発生した場合、表示領域のサイズを調節するよう表示部１０２を制御する。
【００１６】
具体的には、制御部１００は、サイズ変更イベントの発生を確認する。例えば、表示部１０２の周縁部の感知領域に対するタッチが基準時間以上維持される場合、制御部１００はサイズ変更イベントが発生したと認識する。
他の例として、表示部１０２の周縁部の少なくとも２つの感知領域に対するマルチタッチが基準時間以上維持される場合、制御部１００はサイズ変更イベントが発生したと認識することができる。
ここで、感知領域は、表示部１０２を構成する４辺のうち少なくとも１辺の１ピクセル領域に構成することができる。表示領域は、表示部１０２で情報が表示される領域を指す。
【００１７】
サイズ変更イベントが発生した場合、制御部１００は、画面サイズ調節量を確認する。
例えば、制御部１００は、ドラッグ情報に基づいて画面サイズ調節量を確認する。
他の例として、制御部１００は、サイズ変更イベントの発生後に、感知されたタッチ情報に基づいて画面サイズ調節量を確認することもできる。
【００１８】
この時、制御部１００は画面変更方向を追加的に確認することもできる。
例えば、制御部１００は、ドラッグ情報を画面変更方向として認識する。
他の例として、制御部１００は、サイズ変更イベントの発生地点に基づいて画面変更方向を確認することもできる。
さらに他の例として、制御部１００は、サイズ変更イベントの発生後に、感知されたタッチ地点に基づいて画面変更方向を確認することもできる。
【００１９】
制御部１００は、画面サイズ調節量に基づいて表示部１０２の表示領域のサイズを調節するよう制御する。
例えば、制御部１００は、画面サイズ調節量に対応して表示領域の全体サイズを所定の比率に調節するよう制御する。
他の例として、制御部１００は、表示領域で画面変更方向のサイズを画面サイズ調節量に対応して調節するよう制御する。
【００２０】
表示部１０２は、情報の表示及び入力手段の機能を共に行うタッチスクリーンで構成される。
例えば、表示部１０２は、制御部１００の制御に対応して携帯端末の状態情報、ユーザが入力する文字、動画、及び静止画像などを表示する。
また、表示部１０２はユーザのタッチに対する情報を制御部１００に提供する。
【００２１】
表示部１０２は、制御部１００の制御に対応してサイズ変更イベントの発生情報を表示する。
例えば、サイズ変更イベントが発生した場合、表示部１０２は、表示領域の周縁部を濃く表示する。
他の例として、サイズ変更イベントが発生した場合、表示部１０２は、表示領域を陰影処理する。
さらに他の例として、サイズ変更イベントが発生した場合、表示部１０２は、表示領域に含まれるアイコンが揺れるように表示する。
さらに他の例として、サイズ変更イベントが発生した場合、表示部１０２は、サイズ変更イベントのアイコンを表示する。
【００２２】
表示部１０２は、制御部１００の制御に対応して表示領域のサイズを調節する。
例えば、表示部１０２は制御部１００の制御に対応して表示領域の全体サイズを所定の比率に調節する。
他の例として、表示部１０２は制御部１００の制御に対応して表示領域で画面変更方向のサイズを調節することもできる。
【００２３】
保存部１０４は、携帯端末の動作を制御するためのプログラムを保存するプログラム保存部及びプログラムの遂行中に発生するデータを保存するデータ保存部で構成することができる。
例えば、保存部１０４のプログラム保存部は、表示領域のサイズを調節するためのプログラムを保存することもできる。この場合、制御部１００はプログラム保存部に保存された表示領域のサイズを調節するためのプログラムを実行して表示領域のサイズを調節するよう制御する。
【００２４】
入力部１０６は、ユーザの選択によって発生する入力データを制御部１００に提供する。
例えば、入力部１０６は携帯端末の制御のための制御ボタンのみを含んで構成される。
他の例として、入力部１０６は表示部１０２とは別途に、ユーザからの入力データを提供するためのキーパッドで構成することもできる。
【００２５】
オーディオ処理部１０８は、オーディオ信号の入出力を制御する。
上述のように構成される携帯端末で通信サービスを提供する場合、携帯端末は通信モジュールをさらに含む。
以下、携帯端末でユーザの操作に対応して表示領域のサイズを調節するための方法について説明する。
【００２６】
図２は、本発明の実施形態による携帯端末で画面サイズを調節する手順を説明するためのフローチャートである。
図２に示すように、携帯端末はステップ２０１でサイズ変更イベントが発生したか否かを確認する。
例えば、表示部１０２の周縁部の感知領域に対するタッチが基準時間以上維持される場合、携帯端末はサイズ変更イベントが発生したと認識する。
ここで、感知領域は表示部１０２を構成する４辺のうち少なくとも１辺の１ピクセル領域で構成することができる。
【００２７】
サイズ変更イベントが発生しなかった場合、携帯端末は本アルゴリズムを終了する。
一方、サイズ変更イベントが発生した場合、携帯端末はステップ２０３に進んでタッチ情報に基づいて画面サイズ調節量を確認する。
例えば、携帯端末は図７に示すようにドラッグ情報に基づいて画面サイズ調節量を確認する。
他の例として、携帯端末は図９に示すようにサイズ変更イベントの発生後に感知されたタッチ地点に基づいて画面サイズ調節量を確認することもできる。
【００２８】
画面サイズ調節量を確認した後、携帯端末はステップ２０５に進んで画面サイズ調節量に対応して表示領域のサイズを調節する。
例えば、携帯端末は画面サイズ調節量に対応して図８に示すように、表示領域で特定方向のサイズを縮める。
他の例として、携帯端末は画面サイズ調節量に対応して表示領域の全体サイズを所定の比率に縮めることもできる。
その後、携帯端末は本アルゴリズムを終了する。
【００２９】
上述した実施形態で携帯端末はサイズ変更イベントが発生した場合、画面サイズ調節量を確認する。
この時、携帯端末はユーザがサイズ変更イベントの発生を認知することができるようにサイズ変更イベントの発生情報を表示することもできる。
例えば、携帯端末は表示領域の周縁部の線を濃く表示してサイズ変更イベントの発生情報を示すことができる。
他の例として、携帯端末は表示領域を陰影処理してサイズ変更イベントの発生情報を示すこともできる。
さらに他の例として、携帯端末は表示領域に含まれるアイコンが揺れるように表示してサイズ変更イベントの発生情報を示すこともできる。
さらに他の例として、携帯端末はサイズ変更イベントのアイコンを表示してサイズ変更イベントの発生情報を示すこともできる。
【００３０】
上述した実施形態で携帯端末は画面サイズ調節量のみに基づいて表示領域のサイズを調節する。
他の実施形態で携帯端末は図３に示すように画面サイズ調節量及び画面変更方向に基づいて表示領域のサイズを調節することもできる。
【００３１】
図３は、本発明の実施形態による携帯端末で所定方向の画面サイズを調節する手順を説明するためのフローチャートである。
図３に示すように、携帯端末はステップ３０１でサイズ変更イベントが発生したか否かを確認する。
例えば、表示部１０２の周縁部の感知領域に対するタッチが基準時間以上維持される場合、携帯端末はサイズ変更イベントが発生したと認識する。ここで、感知領域は表示部１０２を構成する４辺のうち少なくとも１辺の１ピクセル領域で構成されることができる。
サイズ変更イベントが発生しなかった場合、携帯端末は本アルゴリズムを終了する。
【００３２】
一方、サイズ変更イベントが発生した場合、携帯端末はステップ３０３に進んでタッチ情報に基づいて画面サイズ調節量を確認する。
例えば、携帯端末は図７に示すようにドラッグ情報に基づいて画面サイズ調節量を確認する。
他の例として、携帯端末は図９に示すようにサイズ変更イベントの発生後に感知されたタッチ地点に基づいて画面サイズ調節量を確認することもできる。
【００３３】
その後、携帯端末はステップ３０５に進んで画面変更方向を確認する。
例えば、携帯端末はドラッグ方向に基づいて画面変更方向を確認する。
他の例として、携帯端末はサイズ変更イベントの発生地点に基づいて画面変更方向を確認する。
さらに他の例として、携帯端末はサイズ変更イベントの発生後に感知されたタッチ地点に基づいて画面変更方向を確認することもできる。
【００３４】
画面サイズ調節量と画面変更方向を確認した後、携帯端末はステップ３０７に進んで画面サイズ調節量と画面変更方向とに基づいて表示領域のサイズを調節する。
例えば、携帯端末は画面サイズ調節量と画面変更方向に沿って図８に示すように表示領域を左方向にサイズを縮める。
他の例として、携帯端末は画面サイズ調節量と画面変更方向に沿って図１１に示すように表示領域上端のサイズを縮めることもできる。
その後、携帯端末は本アルゴリズムを終了する。
【００３５】
上述した実施形態で携帯端末はサイズ変更イベントが発生した場合、画面サイズ調節量を確認する。
この時、携帯端末はユーザがサイズ変更イベントの発生を認知することができるようにサイズ変更イベントの発生情報を表示することもできる。
例えば、携帯端末は表示領域の周縁部の線を濃く表示してサイズ変更イベントの発生情報を示すことができる。
他の例として、携帯端末は表示領域を陰影処理してサイズ変更イベントの発生情報を示すことができる。
さらに他の例として、携帯端末は表示領域に含まれるアイコンが揺れるように表示してサイズ変更イベントの発生情報を示すこともできる。
さらに他の例として、携帯端末はサイズ変更イベントのアイコンを表示してサイズ変更イベントの発生情報を示すこともできる。
【００３６】
上述した実施形態で携帯端末は１つのタッチに基づいて表示領域のサイズを調節する。
他の実施形態で携帯端末は図４に示すようにマルチタッチに基づいて表示領域のサイズを調節することもできる。
【００３７】
図４は、本発明の実施形態による携帯端末でマルチタッチを用いて画面サイズを調節する手順を説明するためのフローチャートである。
図４に示すように、携帯端末はステップ４０１でサイズ変更イベントが発生したか否かを確認する。
例えば、表示部１０２の周縁部の少なくとも１つの感知領域に対する少なくとも１つのタッチが基準時間以上維持される場合、携帯端末はサイズ変更イベントが発生したと認識する。
ここで、感知領域は表示部１０２を構成する４辺のうち少なくとも１辺の１ピクセル領域で構成することができる。
【００３８】
サイズ変更イベントが発生しなかった場合、携帯端末は本アルゴリズムを終了する。
一方、サイズ変更イベントが発生した場合、携帯端末はステップ４０３に進んでマルチタッチが感知されたか否かを確認する。
例えば、携帯端末はマルチタッチによってサイズ変更イベントが発生したか否かを確認する。
【００３９】
マルチタッチが感知された場合、携帯端末は表示領域の全体サイズを調節すると認識する。
これにより、携帯端末はステップ４０５に進んでマルチタッチされた地点の変化に基づいて画面サイズ調節量を確認する。
例えば、携帯端末は図１２に示すようにマルチタッチされた地点のドラッグ情報に基づいて画面サイズ調節量を確認する。
他の例として、携帯端末はマルチタッチされた地点の間隔の変化に基づいて画面サイズ調節量を確認することもできる。
【００４０】
画面サイズ調節量を確認した後、携帯端末はステップ４０７に進んで画面サイズ調節量に対応して表示領域のサイズを調節する。
例えば、携帯端末は画面サイズ調節量に対応して表示領域の全体サイズを所定の比率に縮める。
他の例として、携帯端末は図１３に示すように複数の方向から画面サイズ調節量だけ表示領域のサイズを縮めることもできる。
【００４１】
一方、ステップ４０３でマルチタッチが感知されなかった場合、携帯端末は携帯端末の特定方向に表示領域のサイズを調節すると認識する。
これにより、携帯端末はステップ４０９に進んでタッチ情報に基づいて画面サイズ調節量を確認する。
例えば、携帯端末は図７に示すようにドラッグ情報に基づいて画面サイズ調節量を確認する。
他の例として、携帯端末は図９に示すようにサイズ変更イベントの発生後に感知されたタッチ情報に基づいて画面サイズ調節量を確認する。
【００４２】
その後、携帯端末はステップ４１１に進んで画面変更方向を確認する。
例えば、携帯端末はドラッグ方向に基づいて画面変更方向を確認する。
他の例として、携帯端末はサイズ変更イベントの発生地点に基づいて画面変更方向を確認する。
さらに他の例として、携帯端末はサイズ変更イベントの発生後に感知されたタッチ情報に基づいて画面変更方向を確認する。
【００４３】
画面サイズ調節量と画面変更方向を確認した後、携帯端末はステップ４１３に進んで画面サイズ調節量と画面変更方向とに基づいて表示領域のサイズを調節する。
例えば、図７のようなドラッグ距離及び方向に基づいて画面サイズ調節量及び画面変更方向を確認する場合、携帯端末は図８に示すように左側方向に画面サイズ調節量だけ表示領域のサイズを縮める。
【００４４】
他の例として、図１０のようなユーザのドラッグ距離及び方向に基づいて画面サイズ調節量及び画面変更方向を確認する場合、携帯端末は図１１に示すように下方に画面サイズ調節量だけ表示領域のサイズを縮めることもできる。
その後、携帯端末は本アルゴリズムを終了する。
【００４５】
上述した実施形態で携帯端末は、サイズ変更イベントが発生した場合、マルチタッチの有無を確認する。
他の実施形態で携帯端末はサイズ変更イベントが発生した場合、ユーザがサイズ変更イベントの発生を認知することができるようにサイズ変更イベントの発生情報を表示した後、マルチタッチの有無を確認することもできる。
例えば、携帯端末は表示領域の周縁部の線を濃く表示してサイズ変更イベントの発生情報を示す。他の例として、携帯端末は表示領域を陰影処理してサイズ変更イベントの発生情報を示すこともできる。さらに他の例として、携帯端末は表示領域に含まれるアイコンが揺れるように表示してサイズ変更イベントの発生情報を示すこともできる。さらに他の例として、携帯端末はサイズ変更イベントのアイコンを表示してサイズ変更イベントの発生情報を示すこともできる。
【００４６】
上述した実施形態で携帯端末はマルチタッチが感知されると表示領域の全体サイズを調節する。
他の実施形態で携帯端末は図５に示すようにマルチタッチが感知されると複数の方向に表示領域のサイズを調節することもできる。
【００４７】
図５は、本発明の実施形態による携帯端末でマルチタッチを用いて所定の方向に画面サイズを調節する手順を説明するためのフローチャートである。
図５に示すように、携帯端末はステップ５０１でサイズ変更イベントが発生したか否かを確認する。
例えば、ユーザが表示部１０２の周縁部の少なくとも１つの感知領域を基準時間以上タッチする場合、携帯端末はサイズ変更イベントが発生したと認識する。ここで、感知領域は表示部１０２を構成する４辺のうち少なくとも１辺の１ピクセル領域で構成されることができる。
サイズ変更イベントが発生しなかった場合、携帯端末は当アルゴリズムを終了する。
【００４８】
一方、サイズ変更イベントが発生した場合、携帯端末はステップ５０３に進んでマルチタッチが感知されたか否かを確認する。
例えば、携帯端末は複数個の感知領域に対するマルチタッチによってサイズ変更イベントが発生したか否かを確認する。
複数個の感知領域に対するマルチタッチが感知された場合、携帯端末は複数個の方向に表示領域のサイズを調節すると認識する。
【００４９】
これにより、携帯端末はステップ５０５に進んで表示領域のサイズを変更するための各方向の画面サイズ調節量を確認する。
例えば、携帯端末は図１２に示すようにマルチタッチが感知された場合、各タッチ地点のドラッグ距離に基づいて表示領域のサイズを変更するための各方向の画面サイズ調節量を確認する。
他の例として、携帯端末はタッチイベントの発生後に感知された複数個のタッチ地点に基づいて表示領域のサイズを変更するための各方向の画面サイズ調節量を確認する。
【００５０】
画面サイズ調節量を確認した後、携帯端末はステップ５０７に進んで表示領域のサイズを変更するための画面変更方向を確認する。
例えば、携帯端末はドラッグ方向に基づいて表示領域のサイズを変更するための画面変更方向を確認する。他の例として、携帯端末はサイズ変更イベントの発生地点に基づいて表示領域のサイズを変更するための画面変更方向を確認することができる。さらに他の例として、携帯端末はサイズ変更イベントの発生後に感知されたタッチ地点に基づいて表示領域のサイズを変更するための画面変更方向を確認することもできる。
【００５１】
画面サイズ調節量と画面変更方向を確認した後、携帯端末はステップ５０９に進んで画面サイズ調節量と画面変更方向とに基づいて表示領域のサイズを調節する。
例えば、図１２のようなドラッグ距離及び方向を考慮して画面サイズ調節量及び画面変更方向を確認する場合、携帯端末は図１３に示すように左側方向と右側方向に画面サイズ調節量だけ表示領域のサイズを縮める。
【００５２】
一方、ステップ５０３でマルチタッチが感知されなかった場合、携帯端末はいずれか１つの方向に表示領域のサイズを調節すると認識する。
これにより、携帯端末はステップ５１１に進んで画面サイズ調節量を確認する。
例えば、携帯端末は図７に示すようにドラッグ情報に基づいて画面サイズ調節量を確認する。他の例として、携帯端末は図９に示すようにサイズ変更イベントの発生後に感知されたタッチ情報に基づいて画面サイズ調節量を確認することもできる。
【００５３】
その後、携帯端末はステップ５１３に進んで画面変更方向を確認する。
例えば、携帯端末はユーザのドラッグ方向に基づいて画面変更方向を確認する。
他の例として、携帯端末はサイズ変更イベントの発生地点に基づいて画面変更方向を確認することもできる。さらに他の例として、携帯端末はサイズ変更イベントの発生後に感知されたタッチ情報に基づいて画面変更方向を確認することもできる。
【００５４】
画面サイズ調節量と画面変更方向を確認した後、携帯端末はステップ５１５に進んで画面サイズ調節量と画面変更方向とに基づいて表示領域のサイズを調節する。
例えば、図７のようなユーザのドラッグ距離及び方向を考慮して画面サイズ調節量及び画面変更方向を確認する場合、携帯端末は図８に示すように左側方向に画面サイズ調節量だけ表示領域のサイズを縮める。他の例として、図１０のようなユーザのドラッグ距離及び方向に基づいて画面サイズ調節量及び画面変更方向を確認する場合、携帯端末は図１１に示すように下方に画面サイズ調節量だけ表示領域のサイズを縮めることもできる。
その後、携帯端末は本アルゴリズムを終了する。
【００５５】
上述した実施形態で携帯端末はサイズ変更イベントが発生した場合、マルチタッチの有無を確認する。
他の実施形態で携帯端末はサイズ変更イベントが発生した場合、ユーザがサイズ変更イベント発生を認知することができるようにサイズ変更イベントの発生情報を表示した後、マルチタッチの有無を確認することもできる。
【００５６】
例えば、携帯端末は表示領域の周縁部の線を濃く表示してサイズ変更イベントの発生情報を示す。他の例として、携帯端末は表示領域を陰影処理してサイズ変更イベントの発生情報を示すこともできる。さらに他の例として、携帯端末は表示領域に含まれるアイコンが揺れるように表示してサイズ変更イベントの発生情報を示すこともできる。さらに他の例として、携帯端末はサイズ変更イベントのアイコンを表示してサイズ変更イベントの発生情報を示すこともできる。
【００５７】
上述した実施形態で携帯端末は画面サイズ調節量を確認した後、画面変更方向を確認する。
この時、画面サイズ調節量と画面変更方向は同じ時点で確認できるものであって、携帯端末は画面変更方向を確認した後、画面サイズ調節量を確認することもできる。
【００５８】
上述のように、タッチスクリーンを具備する携帯端末で情報が表示される領域のサイズを調節することによって、携帯端末のユーザの意図に合わせて表示のサイズを容易に調節できるという利点がある。
また、広い表示領域が不要な場合、携帯端末でユーザの操作によって表示領域のサイズを縮めることによって、携帯端末の電力消耗を低減できるという利点がある。
【００５９】
尚、本発明は、上述の実施形態に限られるものではない。本発明の技術的範囲から逸脱しない範囲内で多様に変更実施することが可能である。
【符号の説明】
【００６０】
１００    制御部
１０２    表示部
１０４    保存部
１０６    入力部
１０８    オーディオ処理部
【図１】
0006037744.tif 000002
【図２】
0006037744.tif 000003
【図３】
0006037744.tif 000004
【図４】
0006037744.tif 000005
【図５】
0006037744.tif 000006
【図６】
0006037744.tif 000007
【図７】
0006037744.tif 000008
【図８】
0006037744.tif 000009
【図９】
0006037744.tif 000010
【図１０】
0006037744.tif 000011
【図１１】
0006037744.tif 000012
【図１２】
0006037744.tif 000013
【図１３】
0006037744.tif 000014